(57)【要約】  【課題】  成形品の内面の１部を形成する傾斜駒を備えており、その傾斜駒を移動させる機構を構成要件としており、また、その傾斜駒を、後述する突き上げ機構とは直行した方向に移動させている。そして、その傾斜駒を移動させた後に突き上げ機構を作動させて成形品を金型から離脱させている。その結果、突き上げ機構と直行する方向に傾斜駒を移動させるための機構を特別に設けなければならず、金型の構造が複雑になってしまうばかりでなく、他の部品との干渉などを考慮しながらその金型の設計をしなければならなかった。  【解決手段】  成形品が成形されるキャビティーを有する金型装置であって、前記成形品を回転させることによってキャビティーから離脱させる金型装置において、前記キャビティーの近傍に前記成形品の回転範囲を規制する規制壁を設けると共に、その規制壁の作動方向と成形品を金型から離型する方向とを同じくした金型装置。【選択図】  図３
2010234672.tif 000002
【特許請求の範囲】
【請求項１】
成形品が成形されるキャビティーを有する金型装置であって、前記成形品を回転させることによってキャビティーから離脱させる金型装置において、前記キャビティーの近傍に前記成形品の回転範囲を規制する規制壁を設けると共に、その規制壁の作動方向と成形品の金型からの離型方向とを同一な方向とした金型装置。
【請求項２】
前記規制壁をキャビティーに一体形成した請求項１記載の金型装置。
【請求項３】
前記キャビティーは、成形品の離脱方向に対してアンダーカット部を有する請求項１〜請求項２の何れかに記載の金型装置。
【発明の詳細な説明】
【技術分野】
【０００１】
本発明は、成形品が成形されるキャビティーを有する金型装置であって、前記成形品を回転させることによってキャビティーから離脱させる金型装置に関する。
【背景技術】
【０００２】
アンダーカット部を有する樹脂成形品を所要形状に成形するとともに、成形後の樹脂成形品を突き上げる突上げ機構を備えた樹脂成形品の成形金型であって、前記成形金型は、相互に型締め、型開き可能であり、両金型間のキャビティに溶融樹脂が射出充填されるキャビティ型、コア型とを備えるとともに、上記突上げ機構は、所定ストローク上下動作するエジェクタプレートと、このエジェクタプレートに支持され、樹脂成形品を上方に突き上げるエジェクタピン並びに傾斜駒と、エジェクタプレートの上昇動作に同調して上昇し、エジェクタプレートの上昇動作の途中でストッパー部材により停止する中間プレートと、この中間プレートに支持され、樹脂成形品のアンダーカット部を保持し、アンダーカット部のスライド動作を規制しながら突き上げる突上げピンとから構成されており、樹脂成形品の突上げ時、中間プレートに駆動される突上げピンがアンダーカット部を係合支持することで、傾斜駒へのアンダーカット部の引き込まれを回避し、次いで、エジェクタプレートの更なる上昇時、アンダーカット部の反対側のエジェクタピンと傾斜駒により樹脂成形品が上方に突き上げられる際、中間プレート並びに突上げピンが停止していることにより、アンダーカット部と突上げピンとの間にスペースが確保されることで、樹脂成形品をアンダーカット部を基に回動操作して剥ぎ取り脱型できるようにした樹脂成形品の成形金型が知られている。
【特許文献１】特開２００８−６７６７号公報。
【発明の開示】
【発明が解決しようとする課題】
【０００３】
しかし、上記の従来技術にあっては、成形品の内面の１部を形成する傾斜駒を備えており、その傾斜駒を移動させる機構を構成要件としており、また、その傾斜駒を、後述する突き上げ機構とは直行した方向に移動させている。そして、その傾斜駒を移動させた後に突き上げ機構を作動させて成形品を金型から離脱させている。
その結果、突き上げ機構と直行する方向に傾斜駒を移動させるための機構を特別に設けなければならず、金型の構造が複雑になってしまうばかりでなく、他の部品との干渉などを考慮しながらその金型の設計をしなければならなかった。しかも、複雑に可動する部分が多くなるため、金型の耐久性にも懸念が残されている。
【課題を解決するための手段】
【０００４】
本発明は、成形品が成形されるキャビティーを有する金型装置であって、前記成形品を回転させることによってキャビティーから離脱させる金型装置において、前記キャビティーの近傍に前記成形品の回転範囲を規制する規制壁を設けると共に、その規制壁の作動方向と成形品の金型からの離型方向とを同一な方向としたことを要旨とする。
【発明の効果】
【０００５】
本発明は、成形品が成形されるキャビティーを有する金型装置であって、前記成形品を回転させることによってキャビティーから離脱させる金型装置において、前記キャビティーの近傍に前記成形品の回転範囲を規制する規制壁を設けると共に、その規制壁の作動方向と成形品の金型からの離型方向とを同一な方向としたので、金型の構造が簡素化されると共に、耐久性も向上する。
【図面の簡単な説明】
【０００６】
【図１】本発明の第１例を示す縦断面図。
【図２】（ａ）図１の要部拡大図。  （ｂ）図２（ａ）の要部拡大図。
【図３】（ａ）可動側キャビティーブロックの外観斜視図。  （ｂ）図３（ａ）の要部拡大図。
【図４】動作を示す要部縦断面図。
【図５】動作を示す要部縦断面図。
【図６】動作を示す要部縦断面図。
【図７】動作を示す要部縦断面図。
【図８】動作を示す要部縦断面図。
【図９】第２例を示す要部縦断面図。
【図１０】動作を示す要部縦断面図。
【図１１】動作を示す要部縦断面図。
【図１２】動作を示す要部縦断面図。
【図１３】動作を示す要部縦断面図。
【図１４】動作を示す要部縦断面図。
【発明を実施するための最良の形態】
【０００７】
第１例を図１〜図８に示し説明する。金型１は、固定側型板郡２と可動側型板郡３とから構成されている。前記固定側型板郡２は、固定側ダイプレート４とアンギュラプレート５とから構成されており、そのアンギュラプレート５には、一対のアンギュラピン６が前記可動側型板郡３の方向に向かい拡開した状態で固定されている。また、アンギュラプレート５には、固定側キャビティーブロック７が固定されており、そのキャビティーブロック７の内面には、成形品の上方部を成形する１部が半円弧状のキャビティー部８が形成されている。さらに、キャビティーブロック７には、後述する規制壁が嵌入する貫通孔９が形成されている。
【０００８】
一方、前記可動側型板郡３は、２枚のスライドプレート１０とイジェクトボックス１１、可動側ダイプレート１２から構成されている。そのスライドプレート１０には、前記アンギュラピン６によって開閉する一対の割ブロック１３が摺動自在に配置されており、その割ブロック１３には成形品に空間を形成するためのコアピン１４が固定されている。
また、スライドプレート１０には、可動側キャビティーブロック１５が固定されており、その可動側キャビティーブロック１５の内面には、成形品の下方部を成形するキャビティー部１６が形成されている。本例においては、前記可動側キャビティーブロック１５やキャビティー部１６は、２つのキャビティーブロック１５ａ、１５ｂ（キャビティー部１６ａ、１６ｂ）を組み合わせることによって構成されている。そして、そのキャビティー部１６ｂには、成形品のキャビティー部１６からの離脱方向に対して抵抗となるアンダーカット部１７が形成されている。そのアンダーカット部１７は、具体的には、三角形状をなした鋭利な形状をなしている。
その一方の可動側キャビティーブロック１５ｂには、前記固定側キャビティー７の貫通孔９に嵌入する規制壁１８が延設されている。その規制壁１８は、キャビティー部１６ｂの近傍に形成されている。また、可動側キャビティーブロック１５ｂは、突き出しピンとしての機能も有しており、前記可動側キャビティーブロック１５ａに対して上下動可能に配置されている。
【０００９】
さらに、可動側キャビティーブロック１５ａには、２本の突き出しピン１９が上下動自在に配置されているが、前記可動側キャビティーブロック１５ｂの上下動とは、間隔をおいて作動するようになっている。具体的に説明すると、突き出しピン１９を作動せしめるエジェクタボックス１１内のエジェクタプレート２０の下方に位置したエジェクタプレート２１に、前記可動側キャビティーブロック１５ｂが連結されている。また、それのエジェクタプレート２０とエジェクタプレート２１との間には、遅延プレート２３が介在されており、その遅延プレート２３には、可動側キャビティーブロック１５ｂの作動よりも２本の突き出しピン１９の作動を遅延させるための隙間２４が形成されている。即ち、この隙間２４の区間分、２本の突き出しピン１９の作動が遅れることになる。
【００１０】
次に、動作について説明する。図１、図２の状態から固定側型板郡２と可動側型板郡３が拡開すると、固定側キャビティーブロック７のキャビティー部８から成形品Ａの上方部が離脱し、露出する。成形品Ａの可動側キャビティーブロック１５のキャビティー部１６への接触面積が大きく、それ故に、可動側キャビティーブロック１５側に成形品Ａが残留するのである。
ここで、さらに固定側型板郡２と可動側型板郡３とを拡開させると、前記エジェクタプレート２１が作動を開始し、可動側キャビティーブロック１５ｂが上昇すると共に、成形品Ａのアンダーカット部Ｂ側が上昇せしめられ、その結果、成形品Ａはアンダーカット部Ｂとは反対側の端部を支点とし回転し、キャビティー部１６ｂのアンダーカット部１７からアンダーカット部Ｂが離脱する（図５参照）。
さらに固定側型板郡２と可動側型板郡３とを拡開させると、エジェクタピン１９がエジェクタプレート２０によって作動せしめられ、成形品Ａがキャビティー部１６ａから突き出される。この時、成形品Ａは、キャビティー部１６ｂを付近とし、前記とは逆の方向に回転せしめられ、完全にキャビティー１６から離脱することになる（図６参照）。
さらに固定側型板郡２と可動側型板郡３との拡開が進行すると、成形品Ａの回転が進行するが、やがて、成形品Ａの上方部が規制壁１８に接触し、成形品Ａの回転が規制される（図７参照）。そして、その成形品Ａの回転が規制された状態で、さらに成形品Ａは突き出しピン１９によって突き出され、完全に金型から離脱する（図８参照）。
【００１１】
第２例を図９〜図１４に示し説明する。前記第１例の規制壁を可動側キャビティーブロックとはで別な部材で構成した例である。可動側キャビティーブロック１５やキャビティー部１６、突き出しピン１９などの構成は、前記第１例と同様なのでその具体的な説明は、省略する。本例においては、キャビティーブロック１５ｂの近傍に、そのキャビティーブロック１５ｂとは独立して作動する規制壁２５が上下動自在に配置されている。
【００１２】
次に動作について説明する。図９の状態から固定側型板郡２と可動側型板郡３が拡開すると、固定側キャビティーブロック７のキャビティー部８から成形品Ａの上方部が離脱し、露出する。成形品Ａの可動側キャビティーブロック１５のキャビティー部１６への接触面積が大きく、それ故に、可動側キャビティーブロック１５側に成形品Ａが残留するのである。第１例と同様である。
ここで、さらに固定側型板郡２と可動側型板郡３とを拡開させると、前記エジェクタプレート２１が作動を開始し、可動側キャビティーブロック１５ｂが上昇すると共に、成形品Ａのアンダーカット部Ｂ側が上昇せしめられ、その結果、成形品Ａはアンダーカット部Ｂとは反対側の端部を支点とし回転し、キャビティー部１６ｂのアンダーカット部１７からアンダーカット部Ｂが離脱する。これと同時に規制壁２５も上昇を開始する（図１０参照）。
さらに固定側型板郡２と可動側型板郡３とを拡開させると、エジェクタピン１９がエジェクタプレート２０によって作動せしめられ、成形品Ａがキャビティー部１６ａから突き出される。この時、成形品Ａは、キャビティー部１６ｂを付近とし、前記とは逆の方向に回転せしめられ、完全にキャビティー１６から離脱することになる（図１１参照）。
さらに固定側型板郡２と可動側型板郡３との拡開が進行すると、成形品Ａの回転が進行するが、やがて、成形品Ａの上方部が規制壁２５に接触し、成形品Ａの回転が規制される。そして、その成形品Ａの回転が規制された状態で、さらに成形品Ａは突き出しピン１９によって突き出され、完全に金型から離脱する（図１２→図１３→図１４参照）。
本例においては、キャビティーブロック１５ｂの近傍に、そのキャビティーブロック１５ｂとは独立して作動する規制壁２５を設けているので、成形品Ａが完全に金型１から離脱した後、キャビティーブロック１５ｂよりも先に規制壁２５が下降・復帰するため（図１４参照）、金型１から成形品Ａが落下する際、規制壁２５による成形品Ａの落下不良が防止される。
【符号の説明】
【００１３】
１      金型
２      固定側型板郡
３      可動側型板郡
４      固定側ダイプレート
５      アンギュラプレート
６      アンギュラピン
７      固定側キャビティーブロック
８      キャビティー部
９      貫通孔
１０    スライドプレート
１１    イジェクトボックス
１２    可動側ダイプレート
１３    割ブロック
１４    コアピン
１５    可動側キャビティーブロック
１６    キャビティー部
１７    アンダーカット部
１８    規制壁
１９    突き出しピン
２０    エジェクタプレート
２１    エジェクタプレート
２３    遅延プレート
２４    隙間
２５    規制壁
【図１】
2010234672.tif 000003
【図２】
2010234672.tif 000004
【図３】
2010234672.tif 000005
【図４】
2010234672.tif 000006
【図５】
2010234672.tif 000007
【図６】
2010234672.tif 000008
【図７】
2010234672.tif 000009
【図８】
2010234672.tif 000010
【図９】
2010234672.tif 000011
【図１０】
2010234672.tif 000012
【図１１】
2010234672.tif 000013
【図１２】
2010234672.tif 000014
【図１３】
2010234672.tif 000015
【図１４】
2010234672.tif 000016